(57)【要約】【課題】水槽内で土や砂利を直接手で触れることなく簡便に掃除を行うことができ、土や砂利に対して水草を強固に固定することが可能な観賞魚用水槽下敷を提供する。【解決手段】観賞魚用水槽下敷は、取り換え可能なトレイ１からなり、トレイ１は、土または砂利が収容される凹部２０を有する複数のセルボックス３を備え、それぞれのセルボックス３を切り分けるための切り込み線２を備えている。トレイ１は、前方が低く、後方が高くなるように傾斜する傾斜面を有している。セルボックス３はその側壁面に、水草を固定するための止め具７がはめ込まれる窪み３ａを有し、その底部に、水を通すための穴３ｅを有している。セルボックス３の凹部２０に、土または砂利の通過を防止するために敷かれた敷物５を備えている。【選択図】図１
0003226978.tif 000002
【実用新案登録請求の範囲】
【請求項１】
観賞魚用水槽の底面部に配置される下敷として機能し、取り換え可能なトレイからなる観賞魚用水槽下敷であって、トレイは、土または砂利が収容される凹部を有する複数のセルボックスを備え、それぞれのセルボックスを切り分けるための切り込み線を備えていることを特徴とする観賞魚用水槽下敷。
【請求項２】
前記トレイは、前方が低く、後方が高くなるように傾斜する傾斜面を有することを特徴とする請求項１記載の観賞魚用水槽下敷。
【請求項３】
前記セルボックスはその側壁面に、水草を固定するための止め具がはめ込まれる窪みを有していることを特徴とする請求項１または２記載の観賞魚用水槽下敷。
【請求項４】
前記止め具は、中心から外周部に向かって延びる一筋の切り込みを有する網状体と、網状体の外周側に設けられた硬質で網状体よりも厚い縁部とを備えていることを特徴とする請求項３記載の観賞魚用水槽下敷。
【請求項５】
前記セルボックスはその底部に、水を通すための穴を有していることを特徴とする請求項１から４のいずれかに記載の観賞魚用水槽下敷。
【請求項６】
前記セルボックスの凹部に、土または砂利の通過を防止するために敷かれた敷物を備えていることを特徴とする請求項１から５のいずれかに記載の観賞魚用水槽下敷。
【請求項７】
前記観賞魚用水槽の底面の全面を覆うように配置されて、前記トレイが搭載される土台部を備えていることを特徴とする請求項１から６のいずれかに記載の観賞魚用水槽下敷。
【考案の詳細な説明】
【技術分野】
【０００１】
本考案は、観賞魚用水槽の底面部に配置される下敷として機能し、清掃を簡便に行うことが可能な観賞魚用水槽下敷に関する。
【背景技術】
【０００２】
観賞魚用水槽は、魚が生息する水槽の底部に土や砂利を敷き詰め、土や砂利に様々な方法で水草を固定することによって構成されているのが通常である。このような観賞魚用水槽においては、水槽内の掃除の際には、水草を一旦水槽外に出し、水槽の底部に敷き詰められた土や砂利を手やスコップによってすくい出し、水槽内の掃除が終了すると、新しい土や砂利を敷き込んで水草を固定するという作業がなされている。
観賞魚用水槽に関する技術の一例が、特許文献１において開示されている。
【先行技術文献】
【特許文献】
【０００３】
【特許文献１】実用新案登録第３２１０４９２号公報
【考案の概要】
【考案が解決しようとする課題】
【０００４】
上述した、水槽の底部に土や砂利を敷き詰めて、この土や砂利に水草を固定した観賞魚用水槽の場合には、掃除の際に土や砂利を取り出すことになるが、土は粒状になっており、土を手で握ると、少しの力でも崩れて粉末状になることから、手でつかんで搬出することが難しい。また、土や砂利には、魚の糞や餌の食べ残しが滞留してヘドロ状態となるため、悪臭の発生の原因となり、掃除を行っても再度利用することは難しい。
【０００５】
さらに、掃除後に水槽内に搬入した土や砂利に水草を植え込む必要があり、その作業には、大きな労力と時間を要する。また、水草を土や砂利を用いて固定しようとすると、多量の土や砂利が必要となり、掃除の際の負担が増大する。
【０００６】
本考案は、このような事情を考慮してなされたもので、水槽内で土や砂利を直接手で触れることなく簡便に掃除を行うことができ、土や砂利に対して水草を強固に固定することが可能な観賞魚用水槽下敷を提供することを目的とする。
【課題を解決するための手段】
【０００７】
以上の課題を解決するために、本考案の観賞魚用水槽下敷は、観賞魚用水槽の底面部に配置される下敷として機能し、取り換え可能なトレイからなる観賞魚用水槽下敷であって、トレイは、土または砂利が収容される凹部を有する複数のセルボックスを備え、それぞれのセルボックスを切り分けるための切り込み線を備えていることを特徴とする。
【０００８】
観賞魚用水槽下敷は、取り換え可能なトレイからなり、トレイは、土または砂利が収容される凹部を有する複数のセルボックスを備えているため、観賞魚用水槽の掃除を行う際には、土または砂利が収容されたセルボックスの集合体であるトレイを手で持ち上げて移動することができる。そのため、土または砂利は、トレイとともに水槽外に搬出することができ、土または砂利を手で直接触る必要がなく、掃除を簡便に行うことができる。また、それぞれのセルボックスを切り分けるための切り込み線を備えているため、必要に応じてセルボックスを切り分けることができ、セルボックスの重量に応じた取り扱いが可能となる。
【０００９】
本考案の観賞魚用水槽下敷においては、前記トレイは、前方が低く、後方が高くなるように傾斜する傾斜面を有する構造とすることができる。
【００１０】
トレイが、前方が低く、後方が高くなるように傾斜する傾斜面を有することにより、観賞者が水槽内を、手前側から奥側まで幅広く見渡すことができ、観賞しやすい構造となる。
【００１１】
本考案の観賞魚用水槽下敷においては、前記セルボックスはその側壁面に、水草を固定するための止め具がはめ込まれる窪みを有している構造とすることができる。
【００１２】
水草を固定するための止め具がはめ込まれる窪みが、セルボックスの側壁面に設けられていることにより、水草を安定してセルボックスに収容することができる。窪みは、貫通穴とすることもできる。
【００１３】
本考案の観賞魚用水槽下敷においては、前記止め具は、中心から外周部に向かって延びる一筋の切り込みを有する網状体と、網状体の外周側に設けられた硬質で網状体よりも厚い縁部とを備えている構造とすることができる。
【００１４】
止め具は、中心から外周部に向かって延びる一筋の切り込みを有する網状体を有しているため、水草を切り込みに沿って外周部から中心部に挿入することができ、水草の固定の操作性が向上する。また、水草が網状体に絡みつくため、水槽内の魚が水草を喰い抜こうとしても、水草は網状体から抜けることがない。また、網状体の外周側に設けられた硬質で網状体よりも厚い縁部を備えていることにより、この縁部がセルボックスの窪みにカチッと入り込んで止め具がセルボックスに固定されるため、止め具を強固に固定することができる。
【００１５】
本考案の観賞魚用水槽下敷においては、前記セルボックスはその底部に、水を通すための穴を有している構造とすることができる。
【００１６】
セルボックスの底部に、水を通すための穴を有していることにより、水槽内での水の循環を促進することができるため、臭いの発生を軽減することができる。また、水草の根に良い影響を与えるため、水草の成長を促進することができる。さらに、水の循環に伴って、空気の循環も促進することができる。
【００１７】
本考案の観賞魚用水槽下敷においては、前記セルボックスの凹部に、土または砂利の通過を防止するために敷かれた敷物を備えている構造とすることができる。
【００１８】
セルボックスの凹部に敷かれる敷物は、土または砂利の通過を防止するとともに、水は通過させるため、水の循環を確保しつつ、土または砂利がセルボックスを通過して水槽内に沈殿することによる水槽内の汚れの発生を防止することができる。敷物は、不織布を用いて形成することができる。
【００１９】
本考案の観賞魚用水槽下敷においては、前記観賞魚用水槽の底面の全面を覆うように配置されて、前記トレイが搭載される土台部を備えている構造とすることができる。
【００２０】
観賞魚用水槽の底面の全面を覆うように配置された土台部の上に、トレイを搭載するようにすることにより、トレイを水槽から取り出して入れ替えを行う際に、水槽内の魚がトレイの下側の空間に入り込んでトレイの上側に出られなくなることを防止できる。
【考案の効果】
【００２１】
本考案によると、水槽内で土や砂利を直接手で触れることなく簡便に掃除を行うことができ、土や砂利に対して水草を強固に固定することが可能な観賞魚用水槽下敷を実現することができる。
【図面の簡単な説明】
【００２２】
【図１】本考案の実施形態に係る観賞魚用水槽下敷を示す図である。
【図２】傾斜台の構造を示す図である。
【図３】トレイの構造を示す図である。
【図４】セルボックスの詳細を示す図である。
【図５】止め具の詳細を示す図である。
【図６】水草成長株が固定された止め具をセルボックスにセットする様子を示す図である。
【図７】敷物をトレイに配置する様子を示す図である。
【図８】敷物が敷き詰められたセルボックスの凹部に、水草を植え込む様子を示す図である。
【図９】水草を固定した止め具がトレイのセルボックスに装着された後、土をセルボックス内に投入している様子を示す図である。
【図１０】水草の種粒を撒いて水草を成長させる様子を示す図である。
【図１１】トレイが搭載される土台部を備えた実施形態について説明する図である。
【図１２】本考案の応用物の一例を示す図である。
【考案を実施するための形態】
【００２３】
以下に、本考案の観賞魚用水槽下敷を、その実施形態に基づいて説明する。
図１に、本考案の実施形態に係る観賞魚用水槽下敷を示す。
観賞魚用水槽下敷は、観賞魚用水槽６の底面部に配置される下敷として機能するものであり、その本体部が取り換え可能なトレイ１からなるものである。トレイ１は、土または砂利が収容される凹部２０を有する複数のセルボックス３を備え、それぞれのセルボックス３を切り分けるための切り込み線２を備えている。切り込み線２を備えているため、必要に応じてセルボックス３を簡単に切り分けることができ、セルボックス３の重量に応じた取り扱いが可能となる。切り取られたトレイ１に番号を付けておけば、掃除後に元の状態に戻す場合に、作業を行いやすい。
【００２４】
トレイ１は、前方が低く、後方が高くなるように傾斜する傾斜面を有している。傾斜面を形成することは、傾斜台４上にトレイ１を載せることによって実現できる。トレイ１が傾斜面を有することにより、観賞者が水槽内を、手前側から奥側まで幅広く見渡すことができ、観賞しやすい。ここでの前方、後方は、観賞者から見たときの前方、後方を意味する。
【００２５】
セルボックス３はその側壁面に、水草を固定するための止め具７がはめ込まれる窪み３ａを有しており、また、セルボックス３はその底部に、水を通すための穴３ｅを有している。さらに、セルボックス３の凹部２０に、土または砂利の通過を防止するために敷かれた敷物５を備えている。
【００２６】
止め具７は、中心から外周部に向かって延びる一筋の切り込みを有する網状体７ｂと、網状体７ｂの外周側に設けられた硬質で網状体７ｂよりも厚い縁部７ａとを備えている。
土８に根を張った水草成長株１２は、止め具７によってトレイ１に固定されている。土８の他、石９ａや砂９ｂを凹部２０に充填することができる。石９ａや砂９ｂを色付き小石や色付き砂にして、色彩に富むようにすることができる。
【００２７】
上述したセルボックス３、傾斜台４、敷物５、止め具７の構造と機能については、後に詳述する。
【００２８】
図２に、傾斜台４の構造を示す。
傾斜台４は、観賞魚用水槽６の底面部に設置され、前方が低く、後方が高くなるように傾斜する傾斜面を有するように形成されている。この傾斜面には、傾斜台の穴４ａが設けられている。
【００２９】
図３に、トレイ１の構造を示す。
図３(ａ)は、トレイ１の全体図であり、図３(ｂ)は、トレイ１を構成するセルボックス３の斜視図であり、図３(ｃ)は、セルボックス３の側面図である。
【００３０】
トレイ１は、土または砂利が収容される凹部２０を有する複数のセルボックス３を備え、それぞれのセルボックス３を切り分けるための切り込み線２を備えている。切り込み線２は、間隔を置いて設けられた切れ目が直線状に配列されて形成されたものである。セルボックス３の凹部２０に、土または砂利の通過を防止するために敷かれた敷物５を備えている。
【００３１】
トレイ１が図２に示す傾斜台４上に載せられることによって、トレイ１は、前方が低く、後方が高くなるように傾斜する傾斜面を有する構造となる。トレイ１がこのような傾斜面を有する構造とするためには、傾斜台４を用いずに、トレイ１自体の構造を、前方が低く、後方が高くなるように傾斜する構造とすることもできる。
【００３２】
セルボックス３はその側壁面に、水草を固定するための止め具７がはめ込まれる窪み３ａ、３ｂ、３ｃ、３ｄを有している。図３に示すものでは、セルボックス３はその上面が四角形となっているため、セルボックス３の四方の側壁面に、４つの窪み３ａ、３ｂ、３ｃ、３ｄが設けられた構造となっている。セルボックス３の形状は、図３に示すものに限定されず、他の形状のものであってもよい。窪み３ａ、３ｂ、３ｃ、３ｄは、貫通穴とすることもできる。
【００３３】
図４に、セルボックス３の詳細を示す。
図４(ａ)は、セルボックス３の側面図であり、図４(ｂ)は、セルボックス３の平面図であり、図４(ｃ)は、セルボックス３の底面図である。
【００３４】
セルボックス３はその底面３ｇに、水を通すための穴３ｅを有している。トレイ１が図２に示す傾斜台４上に載せられたときに、セルボックス３の穴３ｅと、傾斜台の穴４ａとの位置が一致するようになっている。そのため、セルボックス３の穴３ｅを介して、観賞魚用水槽６内の水が循環できるようになっている。
【００３５】
図５に、止め具７の詳細を示す。
図５(ａ)は、止め具７の構造を示し、図５(ｂ)、（ｃ）は、止め具７の使用状況を示している。
【００３６】
止め具７は、中心７ｄから外周部に向かって延びる一筋の切り込み７ｃを有する網状体７ｂと、網状体７ｂの外周側に設けられた縁部７ａとを備えている。縁部７ａは、硬質で網状体７ｂよりも厚くなるように形成されている。縁部７ａは、切り込み７ｃが網状体７ｂの外周部に達する位置において、これに連続するように設けられた切り欠き７ｅを有している。縁部７ａには、止め具７をピンセット１１で挟む場合に用いられるピンセット挟み部１１ａが設けられている。
【００３７】
水草成長株１２を止め具７に固定する際には、図５(ｂ)に示すように、止め具７の切り込み７ｃを広げて水草成長株１２の茎１２ａを網状体７ｂに挿入し、図５(ｃ)に示すように、水草成長株１２が網状体７ｂの中心７ｄに達したときに、網状体７ｂを元の状態に戻す。その状態では、水草成長株１２の根１２ｂは、止め具７の下側に位置して固定される。そのため、掃除の際にトレイ１の搬出、搬入を行っても、水草成長株１２の固定は強固な状態で維持される。また、魚が水草成長株１２を口で取ろうとしても、水草成長株１２が抜けることがない。水草成長株１２の根１２ｂの上部に、図５（ｄ）に示すように、綿１８を巻き付けておくと、綿１８が緩衝材の役目を果たし、水草成長株１２の根１２ｂを保護することができるとともに、水草成長株１２が抜けにくくなる。
【００３８】
図６は、水草成長株１２が固定された止め具７をセルボックス３にセットする様子を示している。手１４で止め具７の縁部７ａを持ち、切り欠き７ｅの間隔を縮めるようにすると、止め具７の縁部７ａがセルボックス３の窪みにカチッと入り込んで、止め具７がセルボックス３に固定されるため、止め具７を強固に固定することができる。また、止め具７がセルボックス３の窪みに入り込む際に得られるクリック感によって、止め具７がセルボックス３に固定されたことをはっきりと認識することができる。
【００３９】
図７に、敷物５をトレイ１に配置する様子を示す。
手１４でピンセット１１を持って、図７(ａ)に示すように、敷物５を挟み、トレイ１のセルボックス３の凹部２０に敷物５を挿入する。敷物５は、不織布のように、土または砂利が通過することを防止できるもので形成されている。
【００４０】
セルボックス３の凹部２０の底面には、図７（ｂ）に示すように、水を通す穴３ｅが設けられているため、敷物５をセルボックス３の凹部２０に敷き詰めると、水を通しつつ、土または砂利が通過することを防止できる。そのため、水の循環を確保しつつ、土または砂利がセルボックスを通過して水槽内に沈殿することによる水槽内の汚れの発生を防止することができる。また、セルボックス３の下部には隙間２３があるため、水や空気の循環が促進される。
【００４１】
図７（ｃ）に示すように、セルボックス３の凹部２０に石９ａを充填する場合には、敷物５をセルボックス３の凹部２０に敷き詰めた後、凹部２０の下半分には、小さくした墨を入れ、その上にスプーン１０で石９ａを入れれば、臭い消しの効果が得られるとともに、充填する石９ａの量を少なくすることができる。
【００４２】
図８は、敷物５が敷き詰められたセルボックス３に、水草を植え込む様子を示している。
図８(ａ)は、手１４で止め具７を持って、水草成長株１２が固定された止め具７を、トレイ１のセルボックス３に装着している様子を示している。止め具７の装着作業を、トレイ１が水に浸った状態で行う場合には、図８(ｂ)に示すように、ピンセット１１を用いて行うと便利である。
【００４３】
図９は、水草を固定した止め具７がトレイ１のセルボックス３に装着された後、土８をセルボックス３内に投入している様子を示している。土８は、止め具７の網目を通って、セルボックス３内に充填される。そのため、水草の植え付けを簡便に行うことができる。
【００４４】
図１０は、水草の種粒を撒いて水草を成長させる様子を示している。
図１０(ａ)に示すように、土８が充填されたセルボックス３に、水草の種粒１３を撒くと、時間の経過に伴って、水草の新芽１３ａが成長し、図１０（ｂ）に示す水草成長株１２の状態となる。この場合にも、水草の新芽１３ａは、止め具７の網目を通って成長するため、止め具７は水草を効果的に固定することができる。
【００４５】
図１１に基づいて、トレイ１が搭載される土台部を備えた実施形態について説明する。
この実施形態では、図１１(ａ)に示すように、観賞魚用水槽６の底面の全面を覆うように配置されて、トレイ１が搭載される土台部２１を備えている。掃除の際に、トレイ１を観賞魚用水槽６から搬出した後、掃除が終わって再度観賞魚用水槽６内に搬入したときに、土台部２１が観賞魚用水槽６の底面の全面を覆うように配置されていると、魚２２は、土台部２１の上側に移動するため、観賞魚用水槽６内を自由に泳ぐことが可能となる。
【００４６】
これに対し、図１１（ｂ）に示すように、土台部２１が配置されていない場合には、一部のトレイ１を搬出したときに、図１１（ｃ）に示すように、観賞魚用水槽６内に残っているトレイ１の下部に存在する隙間２３に魚２２が入り込むことが起こりうる。そうすると、搬出されていたトレイ１が元の位置に搬入されて、トレイ１で観賞魚用水槽６の底面の全面が覆われるようになると、魚２２がトレイ１の下部に存在する隙間２３から抜け出せなくなるという事態が生じる。
【００４７】
このように、土台部２１が、観賞魚用水槽６の底面の全面を覆うように配置されていることにより、魚２２がトレイ１の下部に存在する隙間２３から抜け出せなくなることを防止できる。土台部２１として、トレイ１と同様の形状のものを用いることができるが、これに限定されず、観賞魚用水槽６の底面の全面を覆うことができ、トレイ１をその上に搭載できるものであれば、他のものであってもよい。
【００４８】
図１２は、以上説明したものの応用物の一例であり、セルボックス３に敷物５を敷き詰め、その中に土８と止め具７を挿入し、土８の上に綿１８を配置したものである。これに水草の種を撒くだけで、簡単に水草を育てることができる。綿１８が配置されているため、種が土８の間に落ち込んで発芽できなくなることを防止できる。また、綿１８に水草の根が絡みつくため、水草が抜けにくくなるとともに、綿１８の組織に水草の根が絡んで固定されるため、水草の成長を促進することができる。
【００４９】
以上説明したように、本考案の観賞魚用水槽下敷は、必要に応じてセルボックス３を簡単に鋏で切り分けることができるため、掃除の際に容易に搬出、搬入を行うことができ、土や砂利はセルボックス３内に収容されているため、掃除を簡便に行うことができる。また、前景に背が伸びない種類の種粒を撒いて水草を成長させ、中側、奥側の順に、水草の背丈に合わせて水草を配置するなど、セルボックス３毎に植え込むものを選択できるため、見栄えの良い観賞魚用水槽を作ることができる。
【産業上の利用可能性】
【００５０】
本考案は、水槽内で土や砂利を直接手で触れることなく簡便に掃除を行うことができ、土や砂利に対して水草を強固に固定することが可能な観賞魚用水槽下敷として、広く利用することができる。
【符号の説明】
【００５１】
１  トレイ
２  切り込み線
３  セルボックス
３ａ、３ｂ、３ｃ、３ｄ  窪み
３ｅ  穴
３ｇ  底面
４  傾斜台
４ａ  傾斜台の穴
５  敷物
６  観賞魚用水槽
７  止め具
７ａ  縁部
７ｂ  網状体
７ｃ  切り込み
７ｄ  中心
７ｅ  切り欠き
８  土
９、９ａ  石
９ｂ  砂
１０  スプーン
１１  ピンセット
１１ａ  ピンセット挟み部
１２  水草成長株
１２ａ  茎
１２ｂ  根
１３  種粒
１３ａ  新芽
１４  手
１８  綿
２０  凹部
２１  土台部
２２  魚
２３  隙間
【図１】
0003226978.tif 000003
【図２】
0003226978.tif 000004
【図３】
0003226978.tif 000005
【図４】
0003226978.tif 000006
【図５】
0003226978.tif 000007
【図６】
0003226978.tif 000008
【図７】
0003226978.tif 000009
【図８】
0003226978.tif 000010
【図９】
0003226978.tif 000011
【図１０】
0003226978.tif 000012
【図１１】
0003226978.tif 000013
【図１２】
0003226978.tif 000014